(57)【要約】【課題】複数の脚体の強度を効率良く高め、かつ、メンテナンスの容易化を図ることができる天板付什器を提供する。【解決手段】天板付什器は、複数の脚体２と、天板と、連結部材１２と、を備えている。複数の脚体２は、相互に離間して配置される。天板は、複数の脚体２に支持される。連結部材１２は、天板の下方で隣り合う脚体２の対向方向に沿って延び、隣り合う脚体２同士を連結する。連結部材１２には、少なくとも当該連結部材１２の上方と、当該連結部材１２の延び方向に沿う両側の側面の一部を覆うカバー部材２０が脱着可能に取り付けられている。【選択図】図８
2020115941.tif 000002
【特許請求の範囲】
【請求項１】
相互に離間して配置される複数の脚体と、
複数の前記脚体に支持される天板と、
前記天板の下方で隣り合う前記脚体の対向方向に沿って延び、隣り合う前記脚体同士を連結する連結部材と、を備え、
前記連結部材には、少なくとも当該連結部材の上方と、当該連結部材の延び方向に沿う両側の側面の一部を覆うカバー部材が脱着可能に取り付けられていることを特徴とする天板付什器。
【請求項２】
前記カバー部材は、
前記連結部材の上面の上方を覆う上壁と、
前記上壁の端部から下方に屈曲して延び、前記連結部材の両側の前記側面の外方を覆う一対の側壁と、を備え、
前記カバー部材の前記側壁と前記連結部材の前記側面との間には、空間部が設けられていることを特徴とする請求項１に記載の天板付什器。
【請求項３】
前記側壁の上下方向の延出長さは、当該側壁の下端部が、前記連結部材の前記側面の下端よりも上方に位置される長さに設定されていることを特徴とする請求項２に記載の天板付什器。
【請求項４】
各前記側壁の下端には、前記連結部材の前記側面に対向する方向に屈曲して延びる下壁が延設され、
前記下壁の延び方向の端部には、上方に屈曲して延び、内側面が前記連結部材の前記側面に当接する支持壁が延設され、
前記支持壁が前記連結部材に脱着可能に取り付けられていることを特徴とする請求項２または３に記載の天板付什器。
【請求項５】
前記支持壁は、前記連結部材にスナップフィット構造によって取り付けられていることを特徴とする請求項４に記載の天板付什器。
【請求項６】
前記脚体には、前記連結部材の端部に結合される連結用突起が突設され、
前記連結部材の端部は、前記連結用突起に嵌合された状態で、当該連結用突起に結合部材によって固定されていることを特徴とする請求項１〜５のいずれか１項に記載の天板付什器。
【請求項７】
前記結合部材は、前記連結部材の前記側面のうちの、前記カバー部材によって覆われる位置に配置されていることを特徴とする請求項６に記載の天板付什器。
【請求項８】
前記脚体には、前記連結部材の端部に結合される連結用突起が突設され、
前記連結部材の端部は、前記連結用突起に嵌合された状態で、当該連結用突起の前記側面に結合部材によって固定され、
前記支持壁と前記下壁には、前記結合部材との干渉を回避する切欠き部が設けられ、
前記結合部材は、前記連結部材の前記側面のうちの、前記側壁によって覆われる位置に配置されていることを特徴とする請求項４に記載の天板付什器。
【請求項９】
前記脚体は、
床面に載置されるベース部材と、
前記ベース部材から上方に突設されるとともに、伸縮調整可能な脚柱と、を備えていることを特徴とする請求項１〜８のいずれか１項に記載の天板付什器。
【請求項１０】
前記連結部材の端部は、前記ベース部材に結合されていることを特徴とする請求項９に記載の天板付什器。
【発明の詳細な説明】
【技術分野】
【０００１】
本発明は、デスク装置やテーブル装置等の天板付什器に関するものである。
【背景技術】
【０００２】
オフィスや公共施設等においては、各種作業を行うことができる天板を備えた天板付什器が用いられている。
一般的な天板付什器は、床面上に載置される複数の脚体と、複数の脚体の上部に架設される天板と、を備えた構造とされている。この種の天板付什器は、天板のサイズが大きい場合等に天板の揺れや脚体の変形を招く恐れがある。
【０００３】
この対策として、複数の脚体の下部同士を連結部材によって連結し、脚体全体の強度を高めたものが案出されている（例えば、特許文献１参照）。
【先行技術文献】
【特許文献】
【０００４】
【特許文献１】特開２０１８−２７２０６号公報
【発明の概要】
【発明が解決しようとする課題】
【０００５】
特許文献１に記載の天板付什器は、連結部材によって脚体の強度を高めることができるものの、連結部材が天板の下方に位置されることから、利用者の足やワゴン等の移動物品が連結部材に当接する可能性が高い。このため、特許文献１に記載の天板付什器では、長期の使用によって連結部材の破損や汚れが生じ易い。そして、連結部材の破損や汚れが生じた場合には、連結部材の大掛かりな交換作業が必要となる。
【０００６】
そこで本発明は、複数の脚体の強度を効率良く高め、かつ、メンテナンスの容易化を図ることができる天板付什器を提供しようとするものである。
【課題を解決するための手段】
【０００７】
本発明に係る天板付什器は、上記課題を解決するために、以下の構成を採用した。
即ち、本発明に係る天板付什器は、相互に離間して配置される複数の脚体と、複数の前記脚体に支持される天板と、前記天板の下方で隣り合う前記脚体の対向方向に沿って延び、隣り合う前記脚体同士を連結する連結部材と、を備え、前記連結部材には、少なくとも当該連結部材の上方と、当該連結部材の延び方向に沿う両側の側面の一部を覆うカバー部材が脱着可能に取り付けられていることを特徴とする。
【０００８】
上記の構成により、隣り合う脚体が連結部材によって相互に連結され、複数の脚体の強度が効率良く高められる。また、天板の下方に配置される連結部材は、カバー部材によって少なくとも上方と側面の一部を覆われているため、利用者の足や移動物品が連結部材に直接当接するのを防止することができる。本発明に係る天板付什器では、カバー部材が連結部材に脱着可能に取り付けられているため、長期の使用等によってカバー部材が破損したり、汚れたりした場合には、カバー部材を容易に新たなものと交換することができる。
【０００９】
前記カバー部材は、前記連結部材の上面の上方を覆う上壁と、前記上壁の端部から下方に屈曲して延び、前記連結部材の両側の前記側面の外方を覆う一対の側壁と、を備え、前記カバー部材の前記側壁と前記連結部材の前記側面との間には、空間部が設けられるようにしても良い。
この場合、カバー部材の側壁と連結部材の側面の間に空間部が設けられているため、カバー部材の側壁に衝撃が入力されたときに、その衝撃をカバー部材の側壁によって緩衝することができる。このため、衝撃による連結部材の損傷や変形を抑制することができる。
【００１０】
前記側壁の上下方向の延出長さは、当該側壁の下端部が、前記連結部材の前記側面の下端よりも上方に位置される長さに設定されるようにしても良い。
この場合、カバー部材の容積を小さくしてカバー部材の小型・軽量化を図ることができる。また、連結部材とカバー部材は、天板の下方に配置されるため、下方から覗き込まない限り、連結部材は外部から見えない。さらに、連結部材とカバー部材の組付体は、連結部材が直接外部に露出する下部領域の幅が、カバー部材の存在する上部領域の幅よりも狭まることになる。このため、連結部材とカバー部材の組付体の外観を軽快なデザインとすることができる。
【００１１】
各前記側壁の下端には、前記連結部材の前記側面に対向する方向に屈曲して延びる下壁が延設され、前記下壁の延び方向の端部には、上方に屈曲して延び、内側面が前記連結部材の前記側面に当接する支持壁が延設され、前記支持壁が前記連結部材に脱着可能に取り付けられるようにしても良い。
この場合、カバー部材の側壁と連結部材の側面の間に空間部を確保する構成を採用しつつも、カバー部材を支持壁によって連結部材に安定して取り付けることができる。
【００１２】
前記支持壁は、前記連結部材にスナップフィット構造によって取り付けられるようにしても良い。
この場合、カバー部材を連結部材に被せて押し込むだけで、カバー部材を連結部材に容易に取り付けることができる。
【００１３】
前記脚体には、前記連結部材の端部に結合される連結用突起が突設され、前記連結部材の端部は、前記連結用突起に嵌合された状態で、当該連結用突起に結合部材によって固定されるようにしても良い。
この場合、連結部材の端部を脚体に容易に、かつ、強固に固定することができる。
【００１４】
前記結合部材は、前記連結部材の前記側面のうちの、前記カバー部材によって覆われる位置に配置されることが望ましい。
この場合、連結部材の端部を結合部材によって脚体に固定した状態で、連結部材にカバー部材を取り付けることにより、結合部材をカバー部材によって覆い隠すことができる。したがって、本構成を採用した場合には、結合部材が外部から見えなくなり、天板付什器の外部から見栄えが良好になる。
【００１５】
前記脚体には、前記連結部材の端部に結合される連結用突起が突設され、前記連結部材の端部は、前記連結用突起に嵌合された状態で、当該連結用突起の前記側面に結合部材によって固定され、前記支持壁と前記下壁には、前記結合部材との干渉を回避する切欠き部が設けられ、前記結合部材は、前記連結部材の前記側面のうちの、前記側壁によって覆われる位置に配置されるようにしても良い。
この場合、連結部材の端部を結合部材によって連結用突起に固定した後に、連結部材にカバー部材を取り付ける際に、結合部材がカバー部材と干渉するのを切欠き部によって回避することができる。また、カバー部材が連結部材に組み付けられると、結合部材はカバー部材の側壁によって覆われて外部から見えにくくなる。したがって、本構成を採用した場合には、カバー部材の組付け作業性を良好に保ちつつ、結合部材が外部から見えることによる見栄えの低下を防止することができる。
【００１６】
前記脚体は、床面に載置されるベース部材と、前記ベース部材から上方に突設されるとともに、伸縮調整可能な脚柱と、を備える構成としても良い。
この場合、天板が脚柱の伸縮によって昇降可能とされている。このため、連結部材の配置される部分は、天板を上昇させたときに外部から見え易い。しかし、本構成では、少なくとも連結部材の上方と、側面の一部が脱着可能なカバー部材によって覆われているため、適宜カバー部材を新たなものと交換することにより、天板付き什器の見栄えの低下を避けることができる。
【００１７】
前記連結部材の端部は、前記ベース部材に結合されるようにしても良い。
この場合、脚体の下端のベース部材同士が連結部材によって連結されるため、複数の脚体の強度が効率良く高まる。また、伸縮調整機構を内蔵しないベース部材同士が連結部材によって連結されるため、連結部材を結合するための脚体側の加工が容易になる。
【発明の効果】
【００１８】
本発明では、隣り合う脚体同士が連結部材によって連結されているため、複数の脚体の強度を効率良く高めることができる。また、本発明では、少なくとも連結部材の上方と側面の一部を覆うカバー部材が、連結部材に脱着可能に取り付けられているため、カバー部材によって連結部材を保護することができるとともに、カバー部材が破損したり汚れたりした場合には、カバー部材を新たなものと容易に交換することができる。したがって、本発明を採用した場合には、複数の脚体の強度を効率良く高め、かつ、メンテナンスの容易化を図ることができる。
【図面の簡単な説明】
【００１９】
【図１】実施形態の天板付什器の斜視図である。
【図２】実施形態の天板付什器の図１のＡ矢視図である。
【図３】実施形態の天板付什器の平面図である。
【図４】実施形態の天板付什器の図１のＢ矢視図である。
【図５】実施形態の端部の脚体におけるベース部材の平面図である。
【図６】実施形態の端部の脚体におけるベース部材の側面図である。
【図７】実施形態の中央の脚体におけるベース部材の平面図である。
【図８】実施形態の端部の脚体と連結部材との連結部を示す斜視図である。
【図９】実施形態の連結部材の側面図である。
【図１０】実施形態のカバー部材の側面図である。
【図１１】実施形態のカバー部材を裏面側から見た斜視図である。
【図１２】図１３のＸＩＩ−ＸＩＩ断面に対応する部分の実施形態のカバー部材と連結部材の断面図である。
【図１３】実施形態のカバー部材が組付けられた連結部材の側面図である。
【図１４】実施形態の端部の脚体と連結部材の連結位置における下面図である。
【図１５】実施形態の天板付什器の図１４のＸＶ−ＸＶ線に沿う断面図である。
【発明を実施するための形態】
【００２０】
以下、本発明の実施形態を図面に基づいて説明する。
【００２１】
図１は、実施形態の天板付什器１の斜視図であり、図２は、天板付什器１の図１のＡ矢視図である。また、図３は、天板付什器１の平面図であり、図４は、天板付什器１の図１のＢ矢視図である。
天板付什器１は、複数（三つ）の脚体２と、複数の脚体２の上部に固定される長方形状の二つの天板３Ａ，３Ｂと、を備えている。本実施形態では、二つの天板３Ａ，３Ｂが長手方向の端部同士を突き合せた状態で、複数の脚体２に支持されている。なお、本実施形態では、二つの天板３Ａ，３Ｂが長手方向の端部で突き合わされて用いられているが、天板は連続した一枚の天板部材によって構成するようにしても良い。
【００２２】
以下では、説明の便宜上、天板付什器１に関して、施設の床面Ｆ上に載置されて上下を向く方向を上下方向、天板３Ａ，３Ｂの長手となる方向を長手方向、上下方向と長手方向に対して直交する方向を幅方向と呼ぶ。また、図面には、上下方向を指す矢印Ｚと、長手方向を指す矢印Ｙと、幅方向を指す矢印Ｘが適宜記されている。
各脚体２は、幅方向Ｘに沿って延びる板状のベース部材１０と、ベース部材１０の延び方向の略中央位置から上方に突設された角筒状の脚柱１１と、を備えている。脚柱１１は、ベース部材１０から鉛直上方に向かって垂立している。
【００２３】
本実施形態では、脚柱１１は、図示しない電動式駆動ユニットによって伸縮調整可能とされている。電動式駆動ユニットは、脚柱１１の内部に配置されている。天板３Ａ，３Ｂは、脚柱１１の伸縮操作によって昇降調整可能とされている。
【００２４】
三つの脚体２の各脚柱１１の上部には、天板３Ａ，３Ｂの下面を下方から支持するフレーム枠６が結合されている。フレーム枠６は、幅方向Ｘに沿って延び、幅方向Ｘの略中央部が対応する脚柱１１の上端部に結合される三つの主フレーム６Ａと、隣接する主フレーム６Ａの同側の端部同士を連結する四つの連結フレーム６Ｂと、を有している。
長手方向Ｙの両端の二つの主フレーム６Ａは、各々が天板３Ａ，３Ｂの下面にボルト締結等によって結合され、長手方向Ｙの中央の主フレーム６Ａは、二つの天板３Ａ，３Ｂの下面に跨る位置において、二つの天板３Ａ，３Ｂの下面にボルト締結等によって結合されている。
【００２５】
また、天板付什器１は、天板３Ａ，３Ｂの下方において、長手方向Ｙで隣り合う二つの脚体２同士を連結する連結部材１２を備えている。本実施形態では、連結部材１２は、長手方向Ｙで隣り合う脚体２のベース部材１０同士を連結している。より具体的には、連結部材１２は、天板３Ａ，３Ｂの下方において、長手方向Ｙに沿って延び、隣り合う脚体２のベース部材１０の幅方向Ｘの略中央部同士を連結している。連結部材１２は、天板３Ａ，３Ｂの下方において、長手方向Ｙに沿って延びている。本実施形態では、隣り合う脚体２の対向方向は、長手方向Ｙと合致している。
なお、長手方向Ｙの中央に配置される脚体２のベース部材１０は、長手方向Ｙの端部に配置される脚体２のベース部材１０と構造が若干異なっている。図中の長手方向Ｙの端部に配置されるベース部材１０には、符号１０Ｓが付され、長手方向Ｙの中央に配置されるベース部材１０には、符号１０Ｃが付されている。
【００２６】
図５は、長手方向Ｙの端部に配置されるベース部材１０Ｓの平面図であり、図６は、同ベース部材１０Ｓを中央のベース部材１０Ｃの方向から見た側面図である。
これらの図に示すように、ベース部材１０Ｓは、幅方向Ｘの両側の端部の下壁に、高さ調整可能な接地部品１３が取り付けられている。各接地部品１３の下面は、施設の床面Ｆ上に載置される。ベース部材１０Ｓの上壁の幅方向Ｘの中央部には、対応する脚柱１１の下端がボルト締結される締結孔１４が形成されている。また、ベース部材１０Ｓの一方の側壁（中央のベース部材１０Ｃに対向する側の側壁）の幅方向Ｘの中央部には、連結部材１２の端部に結合される連結用突起１５が突設されている。連結用突起１５は、下方に開いた略コ字状の断面形状に形成されている。連結用突起１５は、ベース部材１０Ｓの側壁に対して、例えば、溶接等によって固定されている。ただし、連結用突起１５は、ベース部材１０Ｓに一体に形成することも可能である。
連結用突起１５の外面側には、連結部材１２の端部が嵌合され（重ねられ）、その状態で連結部材１２がボルト締結される。連結用突起１５に対する連結部材１２の具体的な結合形態については後に詳述する。
【００２７】
図７は、長手方向Ｙの中央に配置されるベース部材１０Ｃの平面図である。
同図に示すように、中央のベース部材１０Ｃは、端部のベース部材１０Ｓと同様に、幅方向Ｘの両側の端部の下壁に接地部品１３が取り付けられるとともに、上壁の幅方向Ｘの中央部に、脚柱１１の下端がボルト締結される締結孔１４が形成されている。ただし、中央のベース部材１０Ｃは、端部のベース部材１０Ｓと異なり、両側の側壁の幅方向Ｘの中央部に、連結部材１２の端部に結合される連結用突起１５が突設されている。
【００２８】
図８は、端部のベース部材１０Ｓ（脚体）に連結部材１２の端部が結合された状態を示す斜視図であり、図９は、連結部材１２の単体の側面図である。
これらの図に示すように、連結部材１２は、連結用突起１５（図６，図１５参照）と同様に、下方に開いた略コ字状の断面形状に形成されている。ただし、連結部材１２は、連結用突起１５よりも一回り大きい断面形状に形成され、連結用突起１５の外面（上壁の上面、及び、両側の側壁の外面）に嵌合される（重ね合わされる）ようになっている。
【００２９】
図８，図９に示すように、連結部材１２の長手方向Ｙの端部の両側の側壁１２ｓには、夫々一対の長孔状のボルト挿通孔１６が形成されている。一対のボルト挿通孔１６は、側壁１２ｓの長手方向に離間して形成されている。これらのボルト挿通孔１６には、連結部材１２の端部を連結用突起１５に固定する結合部材であるボルト１７（図１４，図１５参照。）が挿入される。連結用突起１５の側壁には、ボルト１７の軸部が螺合されるねじ孔１８（図８，図１５参照。）が形成されている。なお、図８は、ねじ孔１８にボルト１７の軸部が螺合される前の状態を示している。
【００３０】
また、連結部材１２の長手方向Ｙの端部の両側の側壁１２ｓには、略コ字状の切込みの内側領域を切り起こした切り起こし片１９が設けられている。切込みは、上方側に開く略コ字状に施されている。切り起こし片１９は、下端が側壁１２ｓの外側方に向かって下方傾斜するように切り起こされている（図１２参照）。
【００３１】
連結部材１２には、連結部材１２と長手方向Ｙの長さが略同長さの金属製のカバー部材２０が脱着可能に取り付けられている。カバー部材２０は、連結部材１２に取り付けられることにより、連結部材１２の上面１２ｕの上方と、連結部材１２の側壁１２ｓの外側面１２ｓｏ（側面）の一部の外方を覆う。ただし、カバー部材２０は、連結部材１２の側壁１２ｓの外側面１２ｓｏ（側面）の全域の外方を覆う構成であっても良い。
なお、連結部材１２の両側の側壁１２ｓの外側面１２ｓｏは、連結部材１２の延び方向に沿う両側の側面を構成している。
【００３２】
図１０は、カバー部材２０の側面図であり、図１１は、カバー部材２０の端部を裏面側から見た斜視図である。図１２は、カバー部材２０が連結部材１２に取り付けられるときのカバー部材２０と連結部材１２の断面図である。なお、図１２は、図１３のＸＩＩ−ＸＩＩ断面に対応する部分の断面が示されている。また、図１３は、カバー部材２０が組付けられた連結部材１２の側面図であり、図１４は、脚体２と連結部材１２の連結位置における下面図、図１５は、図１４のＸＶ−ＸＶ線に沿う断面図である。
カバー部材２０は、連結部材１２の上面１２ｕの上方を覆う上壁２０ａと、上壁２０ａの幅方向Ｘの両端部から下方に屈曲して延び、連結部材１２の外側面１２ｓｏ（側面）の外方を覆う一対の側壁２０ｂと、各側壁２０ｂの下端から連結部材１２の外側面１２ｓｏに対向する方向に屈曲して延びる下壁２０ｃと、各下壁２０ｃの延び方向の端部から上方に屈曲して延びる支持壁２０ｄと、を備えている。支持壁２０ｄは、内側面が連結部材１２の側壁１２ｓの外側面１２ｓｏ（側面）に当接し、その状態で連結部材１２に脱着可能に係止される。
【００３３】
カバー部材２０の上壁２０ａは、連結部材１２よりも幅方向Ｘの寸法が大きく設定されている。カバー部材２０の側壁２０ｂと連結部材１２の外側面１２ｓｏ（側面）との間には、図１２，図１５に示すように、空間部２１が確保されている。また、カバー部材２０の両側の側壁２０ｂの上下方向の延出長さは、カバー部材２０が連結部材１２に取り付けられた状態において、側壁２０ｂの下端部が、連結部材の外側面１２ｓｏ（側面）の下端よりも上方に位置される長さに設定されている。したがって、連結部材１２に取り付けられたカバー部材２０は、図１５に示すように、連結部材１２の外側面１２ｓｏ（側面）の下部領域を除く領域を覆うことになる。また、連結部材１２とカバー部材２０の組付体は、連結部材１２が直接外部に露出する下部領域の幅が、カバー部材２０の存在する上部領域の幅よりも狭まっている。
【００３４】
また、カバー部材２０の支持壁２０ｄの端部側領域には、略長方形状の係止孔２２が形成されている。係止孔２２は、連結部材１２に対するカバー部材２０の組付け時に、カバー部材２０の側壁１２ｓの切り起こし片１９の下端が挿入されて係止される孔であり、カバー部材２０の支持壁２０ｄのうちの、切り起こし片１９と対応する位置に形成されている。
【００３５】
カバー部材２０を実際に連結部材１２に組付ける際には、図１２に示すように、カバー部材２０の支持壁２０ｄの内側面を、連結部材１２の側壁１２ｓの外側面１２ｓｏに整合させ、その状態でカバー部材２０を下方に押し込む。こうして、カバー部材２０が下方に押し込まれると、支持壁２０ｄの内側面が、切り起こし片１９を側壁１２ｓの外側面１２ｓｏに沿う方向に弾性変形させる。こうしてカバー部材２０が所定量下方に押し込まれると、カバー部材の上壁２０ａの下面が連結部材１２の上面１２ｕに当接するとともに、連結部材１２の切り起こし片１９の下端がカバー部材２０の支持壁２０ｄの係止孔２２の位置に位置される。切り起こし片１９の下端が係止孔２２の位置に位置されると、切り起こし片１９が初期の切り起こし角度に形状復帰する。これにより、切り起こし片１９の下端が係止孔２２内に挿入され、係止孔２２の下辺部を係止することになる。この結果、カバー部材２０は、連結部材１２に対して係止固定される。
【００３６】
また、カバー部材２０を連結部材１２から取り外す場合には、カバー部材２０の両側の支持壁２０ｄを下壁２０ｃや側壁２０ｂとともに左右に押し広げ、係止孔２２による切り起こし片１９の係止を解除した状態で、カバー部材２０を上方に持ち上げて連結部材１２から引き剥がす。
なお、本実施形態では、係止孔２２と切り起こし片１９が、支持壁２０ｄと連結部材１２の間のスナップフィット構造を構成している。
【００３７】
さらに、カバー部材２０の端部側領域の係止孔２２よりも、より端部に近い領域には、両側の支持壁２０ｄと下壁２０ｃの一部に跨るように連続した切欠き部２３が形成されている。切欠き部２３は、カバー部材２０を連結部材１２に組み付ける際に、連結部材１２の外側面１２ｓｏから外側に膨出したボルト１７（結合部材）の頭部に対して、カバー部材２０側の下壁２０ｃや支持壁２０ｄが干渉するのを回避するためのものである。このため、下壁２０ｃと支持壁２０ｄに跨って形成される切欠き部２３の形状とサイズは、カバー部材２０を連結部材１２に組み付ける際に、ボルト１７の頭部が通過できるように設定されている。
また、結合部材であるボルト１７は、カバー部材２０を連結部材１２に組み付けた状態で、頭部がカバー部材２０の側壁２０ｂによって覆わる位置において、結合部材１２と連結用突起１５とを結合している。
【００３８】
以上のように、本実施形態の天板付什器１は、天板３Ａ，３Ｂの下方で長手方向に離間して配置された複数の脚体２が連結部材１２によって連結されている。このため、複数の脚体２の強度を連結部材１２によって効率良く高めることができる。したがって、本実施形態の天板付什器１では、脚体２上に大型の天板３Ａ，３Ｂが支持された状態で天板３Ａ，３Ｂに重い荷物が載置されたり、利用者から大きな外力が加えられたりすることがあっても、天板３Ａ，３Ｂの揺れや脚体２の撓みの発生等を抑制することができる。
【００３９】
また、本実施形態の天板付什器１は、連結部材１２の上方と外側面１２ｓｏの一部を覆うカバー部材２０が、連結部材１２に脱着可能に取り付けられている。このため、本実施形態の天板付什器１では、カバー部材２０によって連結部材１２を保護することができるとともに、長期の使用等によってカバー部材２０が破損したり汚れたりした場合には、カバー部材２０を新たなものと容易に交換することができる。したがって、本実施形態の天板付什器１を採用した場合には、複数の脚体２の強度を効率良く高め、かつ、メンテナンスの容易化を図ることができる。
また、本実施形態の天板付什器１では、カバー部材２０が連結部材１２に脱着可能に取り付けられているため、天板付什器１に大きな外力が掛かったときや、経年使用によって連結用突起１５と連結部材２０の端部を連結するボルト１７に緩みが生じた場合にも、カバー部材２０を取り外してボルト１７の締め増しを容易に行うことができる。
【００４０】
さらに、本実施形態の天板付什器１は、カバー部材２０が、連結部材１２の上面１２ｕの上方を覆う上壁２０ａと、連結部材１２の両側の外側面１２ｓｏの外方を覆う一対の側壁２０ｂを備え、側壁２０ｂと連結部材１２の外側面１２ｓｏとの間に空間部２１が設けられている。このため、カバー部材２０の側壁２０ｂに外部から衝撃が入力されたときに、カバー部材２０の側壁２０ｂが柔軟に変形することで入力衝撃を緩衝することができる。したがって、本構成を採用した場合には、入力衝撃による連結部材１２の損傷や変形を抑制することができる。
【００４１】
また、本実施形態の天板付什器１では、カバー部材２０の側壁２０ｂの上下長さが、連結部材１２の側壁１２ｓの上下長さよりも短く形成されることにより、カバー部材２０が連結部材１２に組付けられた状態で、カバー部材２０の側壁２０ｂの下端が連結部材１２の側壁１２ｓの下端よりも上方位置となっている。本実施形態では、カバー部材２０の側壁２０ｂと連結部材１２の側壁１２ｓの上下長さが上記のように設定されていても、カバー部材２０の側壁２０ｂが連結部材１２の側壁１２ｓに対し、空間部２１を挟んで幅方向外側にオフセットして配置されているため、下方から覗き込まない限り、連結部材１２の下部領域はカバー部材２０の側壁２０ｂに隠れて外部から見えにくい。特に、連結部材１２は、天板３Ａ，３Ｂの下方に配置されて隣接する脚体２を連結する部材であるため、天板付什器１の通常の使用形態では、連結部材１２の下部領域は外部から目に付くことがない。
したがって、本実施形態の構成を採用した場合には、外観の低下を招くことなく、カバー部材２０の小型・軽量化を図ることができる。
さらに、本構成では、連結部材１２とカバー部材２０の組付体は、連結部材１２が直接外部に露出する下部領域の幅が、カバー部材２０の存在する上部領域の幅よりも狭まるため、下方から覗き込んだ場合には、外観が軽快なデザインに見え好ましい。
【００４２】
また、本実施形態の天板付什器１は、カバー部材２０の各側壁２０ｂの下端に、連結部材１２の方向に屈曲して延びる下壁２０ｃが延設されるとともに、下壁２０ｃの延び方向の端部に、上方に屈曲して延びる支持壁２０ｄが延設され、その支持壁２０ｄが連結部材１２の外側面１２ｓｏに当接した状態で連結部材１２に脱遅着可能に取り付けられている。このため、本実施形態の天板付什器１では、カバー部材２０の側壁２０ｂと連結部材１２の外側面１２ｓｏの間に空間部２１を確保する構成を採用しつつも、カバー部材２０を支持壁２０ｄによって連結部材１２に安定して取り付けることができる。
【００４３】
そして、本実施形態では、支持壁２０ｄに形成された係止孔２２と、連結部材１２の側壁１２ｓに形成された切り起こし片１９によってスナップフィット構造が構成され、そのスナップフィット構造によってカバー部材２０が連結部材１２に脱着可能に係止されている。このため、本実施形態の構成を採用した場合には、カバー部材２０を連結部材１２に被せて下方に押し込むだけで、カバー部材２０を連結部材１２に容易に取り付けることができる。
なお、本実施形態では、切り起こし片１９を連結部材１２の側壁１２ｓに形成し、係止孔２２を支持壁２０ｄに形成しているが、逆に、切り起こし片１９を支持壁２０ｄに形成し、係止孔２２を連結部材１２の側壁１２ｓに形成するようにしても良い。
【００４４】
また、本実施形態の天板付什器１は、脚体２に連結用突起１５が突設され、連結部材１２の端部が連結用突起１５の端部に嵌合された状態で、その連結用突起１５にボルト１７によって固定されている。このため、連結部材１２の端部を脚体２に容易に、かつ、強固に固定することができる。
なお、本実施形態では結合部材の一例としてボルト１７を採用しているが、結合部材はボルト１７に限るものでなく、例えば、リベット等であっても良い。
【００４５】
また、本実施形態の天板付什器１は、結合部材であるボルト１７の頭部が、連結部材１２の外側面のうちの、カバー部材２０によって外側を覆われる位置に配置されている。このため、連結部材１２にカバー部材２０が組付けられた状態では、ボルト１７の頭部が外部から見えなくなり、天板付什器１の外部からの見栄えが良好になる。
【００４６】
特に、本実施形態の天板付什器１は、カバー部材２０の支持壁２０ｄと下壁２０ｃに切欠き部２３が形成され、カバー部材２０を連結部材１２に上方から組み付ける際に、連結部材１２の側面から膨出したボルト１７の頭部がカバー部材２０と干渉するのを切欠き部２３によって回避できるようになっている。したがって、本実施形態の構成を採用した場合には、カバー部材２０の組付け作業性を良好に保ちつつ、結合部材であるボルト１７の頭部が外部から見えることによる見栄えの低下を防止することができる。
【００４７】
また、本実施形態の天板付什器１は、各脚体２が、床面Ｆに載置されるベース部材１０と、ベース部材１０から上方に突設される脚柱１１と、を備え、脚柱１１が伸縮調整可能な構造とされている。このため、脚柱１１の伸縮操作によって天板３Ａ，３Ｂを任意の高さに調整することができる。しかし、この構造の場合、天板３Ａ，３Ｂを上方に大きく上昇させたときに、脚体２の間の連結部材１２部分が外部から見え易く、その部分に破損や汚れがあると、外観上望ましくない。本実施形態の場合、連結部材１２が脱着可能なカバー部材２０によって覆われているため、適宜カバー部材２０を新たなものと交換することにより、天板付き什器１の見栄えの低下を避けることができる。
【００４８】
さらに、本実施形態の天板付什器１では、連結部材１２の端部が、脚体２の下部領域に配置されるベース部材１０部分に結合されている。このため、複数の脚体２の強度を効率良く高めることができる。また、この構成では、伸縮調整機構を内蔵しないベース部材１０同士が連結部材１２によって連結されることから、連結用突起１５の溶接等の連結部材１２を結合するための脚体２側の加工が容易になる。
【００４９】
なお、本発明は上記の実施形態に限定されるものではなく、その要旨を逸脱しない範囲で種々の設計変更が可能である。例えば、上記の実施形態では、天板３Ａ，３Ｂを支持する脚体２は三つ設けられているが、脚体２の数は、二つ以上であればいくつであっても良い。また、カバー部材２０の材質は金属に限らず、樹脂等の他の材質であっても良い。
【符号の説明】
【００５０】
１  天板付什器
２  脚体
３Ａ，３Ｂ  天板
１０  ベース部材
１１  脚柱
１２  連結部材
１２ｓｏ  外側面（側面）
１５  連結用突起
１７  ボルト（結合部材）
１９  切り起こし片（スナップフィット構造）
２０  カバー部材
２０ａ  上壁
２０ｂ  側壁
２０ｃ  下壁
２０ｄ  支持壁
２１  空間部
２２  係止孔（スナップフィット構造）
２３  切欠き部
【図１】
2020115941.tif 000003
【図２】
2020115941.tif 000004
【図３】
2020115941.tif 000005
【図４】
2020115941.tif 000006
【図５】
2020115941.tif 000007
【図６】
2020115941.tif 000008
【図７】
2020115941.tif 000009
【図８】
2020115941.tif 000010
【図９】
2020115941.tif 000011
【図１０】
2020115941.tif 000012
【図１１】
2020115941.tif 000013
【図１２】
2020115941.tif 000014
【図１３】
2020115941.tif 000015
【図１４】
2020115941.tif 000016
【図１５】
2020115941.tif 000017